(57)【要約】【課題】  被検査物である眼底の所望の位置における、高横分解能な平面画像を簡便に撮像することが可能となる装置を提供することを目的とする。【解決手段】  被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置であって、前記第一の画像と前記第二の画像を、それぞれ表示画面に表示する表示制御手段と、前記被検眼が注視するための固視灯と有し、前記表示制御手段は、前記固視灯の点灯位置を指示するための位置指示部を、前記表示された前記第二の画像に重畳表示し、前記第一の撮像部は、前記指示された点灯位置の第一の画像を撮像することを特徴とする。【選択図】  図６
2017051376.tif 000002
【特許請求の範囲】
【請求項１】
被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置であって、
前記第一の画像と前記第二の画像を、それぞれ表示画面に表示する制御手段と、
前記被検眼が注視するための固視灯と有し、
前記制御手段は、前記固視灯の点灯位置を指示するための位置指示部を、前記表示された前記第二の画像と共に表示し、
前記第一の撮像部は、前記指示された点灯位置の第一の画像を撮像することを特徴とする画像撮像装置。
【請求項２】
前記位置指示部は、グリッドにより構成され、交点を指示することにより前記固視灯の点灯位置を選択できることを特徴とする請求項１に記載の画像撮像装置。
【請求項３】
前記位置指示部は、前記表示された第二の画像に設定された座標を指示することにより、前記固視灯の点灯位置を選択できることを特徴とする請求項１又は２に記載の画像撮像装置。
【請求項４】
前記グリッドの単位を角度もしくは長さから選択することを特徴とする請求項２に記載の画像撮像装置。
【請求項５】
前記第一の画像の画像サイズを選択する選択手段を更に有し、
前記固視灯の点灯位置の指示できる間隔が、前記選択手段で選択された画像サイズに基づき規定されることを特徴とする請求項１乃至４の何れか１項に記載の画像撮像装置。
【請求項６】
被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置であって、
前記第一の画像と前記第二の画像を、それぞれ表示画面に表示する制御手段と、
前記被検眼が注視するための固視灯と有し、
前記制御手段は、前記固視灯の点灯位置を指示するための位置指示部を、前記表示された前記第二の画像に並べて表示し、
前記第一の撮像部は、前記指示された点灯位置の第一の画像を撮像することを特徴とする画像撮像装置。
【請求項７】
前記位置指示部は、数値を入力することにより前記固視灯の点灯位置を選択できることを特徴とする請求項６に記載の画像撮像装置。
【請求項８】
前記位置指示部は、前記表示された第二の画像に設定された位置を入力することにより、前記固視灯の点灯位置を選択できることを特徴とする請求項６又は７に記載の画像撮像装置。
【請求項９】
前記位置指示部の数値の単位を選択することを特徴とする請求項７に記載の画像撮像装置。
【請求項１０】
前記第一の画像の画像サイズを選択する選択手段を更に有し、
前記固視灯の点灯位置の指示できる間隔が、前記選択手段で選択された画像サイズに基づき規定されることを特徴とする請求項６乃至９の何れか１項に記載の画像撮像装置。
【請求項１１】
被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置の制御方法であって、
前記被検眼が注視するための固視灯を点灯する工程と、
前記第一の画像と前記第二の画像を、それぞれ表示画面に表示する表示工程と有し、
前記表示工程において、前記固視灯の点灯位置を指示するための位置指示部を、前記表示された前記第二の画像にと共に重畳表示し、
前記第一の撮像部により、前記指示された点灯位置の第一の画像を撮像することを特徴とする画像撮像装置の制御方法。
【請求項１２】
被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置の制御方法であって、
前記被検眼が注視するための固視灯を点灯する工程と、
前記第一の画像と前記第二の画像を、それぞれ表示画面に表示する表示工程と有し、
前記表示工程において、前記固視灯の点灯位置を指示するための位置指示部を、前記表示された前記第二の画像に並べて表示し、
前記第一の撮像部により、前記指示された点灯位置の第一の画像を撮像することを特徴とする画像撮像装置の制御方法。
【発明の詳細な説明】
【技術分野】
【０００１】
本発明は、眼科診療等に用いられる画像撮像装置及びその制御方法に関するものである。
【背景技術】
【０００２】
共焦点レーザー顕微鏡の原理を利用した眼科装置である走査型レーザー検眼鏡（ＳＬＯ：Ｓｃａｎｎｉｎｇ  Ｌａｓｅｒ  Ｏｐｈｔｈａｌｍｏｓｃｏｐｅ）は、測定光であるレーザーを眼底に対してラスタースキャンを行い、その戻り光の強度から眼底の平面画像を高分解能かつ高速に得る装置である。
【０００３】
以下、このような平面画像を撮像する装置をＳＬＯ装置と記す。
【０００４】
近年、ＳＬＯ装置において測定光のビーム径を大きくし、測定光が眼底上により微小なスポットになるようにすることにより、横分解能を向上させた眼底の平面画像を取得することが可能になってきた。しかし、測定光のビーム径の大径化に伴い、眼底の平面画像の取得において、被検眼にて発生する、測定光やその戻り光の収差による平面画像のＳＮ比及び分解能の低下が問題になってきた。
【０００５】
それを解決するために、被検眼による収差を波面センサでリアルタイムに測定し、被検眼にて発生する測定光やその戻り光の収差を波面補正デバイスで補正する補償光学系を有する補償光学ＳＬＯ装置（以下、ＡＯＳＬＯ装置）が開発され、高横分解能な平面画像の取得を可能にしている。被検眼の眼底の所望の位置を撮像する場合、被検眼を固視するための固視灯が用いられる。特許文献１においては、眼底の画像の所望の位置を指定して、固視灯の点灯位置を変更することで、容易に所望の位置の眼底画像を取得することが開示されている。
【先行技術文献】
【特許文献】
【０００６】
【特許文献１】特開２００７−２７５３７４号公報
【発明の概要】
【発明が解決しようとする課題】
【０００７】
特許文献１に記載の眼科装置は、眼底の画像の所望の位置を指定して、固視灯の投影位置を変更することで、容易に所望の位置の眼底画像を取得することが可能とされている。
【０００８】
しかしながら、特許文献１においては、眼底上の詳細な位置設定や、他の測定機器との関連付けに関しては、言及されていない。
【０００９】
本発明は、上記課題に鑑み、被検査物である眼底の所望の位置における、高横分解能な平面画像を簡便に撮像することが可能な装置を提供することを目的とする。
【課題を解決するための手段】
【００１０】
本発明の画像撮像装置は、被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置であって、前記第一の画像と前記第二の画像を、それぞれ表示画面に表示する表示制御手段と、前記被検眼が注視するための固視灯と有し、前記表示制御手段は、前記固視灯の点灯位置を指示するための位置指示部を、前記表示された前記第二の画像と共に表示し、前記第一の撮像部は、前記指示された点灯位置の第一の画像を撮像することを特徴とする。
【００１１】
さらに本発明の画像撮像装置は、被検眼に照射された第一の測定光による第一の戻り光の強度により、前記被検眼の第一の画像を撮像する第一の撮像部と、前記被検眼に照射された第二の測定光による第二の戻り光の強度により、前記第一の画像より広い画角の第二の画像を撮像する第二の撮像部とを有する画像撮像装置であって、前記第一の画像と前記第二の画像を、それぞれ表示画面に表示する制御手段と、前記被検眼が注視するための固視灯と有し、前記制御手段は、前記固視灯の点灯位置を指示するための位置指示部を、前記表示された前記第二の画像に並べて表示し、前記第一の撮像部は、前記指示された点灯位置の第一の画像を撮像することを特徴とする。
【発明の効果】
【００１２】
本発明は、上記課題に鑑み、被検査物である眼底の所望の位置における、高横分解能な平面画像を簡便に撮像する画像撮像装置を実現することができる。
【図面の簡単な説明】
【００１３】
【図１】本発明の実施例におけるＳＬＯ装置の全体の構成について説明する図である。
【図２】本発明の実施例におけるＳＬＯ装置の光学系の構成を説明する図である。
【図３】本発明の実施例におけるＳＬＯ装置の測定光の波長分布を説明する図である。
【図４】本発明の実施例におけるＳＬＯ装置による撮像手順を説明する図である。
【図５】本発明の実施例におけるＳＬＯ装置の制御ソフト画面の構成を説明する図である。
【図６】本発明の実施例におけるＳＬＯ装置の制御ソフト画面の構成を説明する図である。
【発明を実施するための形態】
【００１４】
本発明の実施例について、図面を参照して詳細に説明する。なお、以下の実施例は特許請求の範囲に関わる本発明を限定するものではなく、また、本実施例で説明されている特徴の組み合わせの全てが本発明の解決手段に必須のものとは限らない。
【００１５】
［実施例］
実施例においては、画像撮像装置として、本発明を適用したＡＯＳＬＯ装置について説明する。ＡＯＳＬＯ装置は、補償光学系を備え、網膜の高横分解能の平面画像（ＡＯＳＬＯ像）の撮像を行う装置である。また、ＡＯＳＬＯ像の取得を補助する目的で、広画角の平面画像（ＷＦＳＬＯ像）の撮像を行うＷＦＳＬＯ装置、測定光の入射位置を把握するための前眼部観察装置、および撮像箇所を調整するために視線を誘導する固視灯表示装置が付随している。なお、広画角とは、ＡＯＳＬＯ像と比較して画角が広いという意味である。
【００１６】
本実施例のＡＯＳＬＯ装置は、被検眼による光学収差を、空間光変調器を用いて補正して平面画像を取得するように構成され、被検眼の視度や被検眼による光学収差によらず良好な平面画像が得られるように構成されている。
【００１７】
ここでは、高横分解能の平面画像を撮像するために、補償光学系を備えているが、高解像度を実現できる光学系の構成であれば、補償光学系を備えていなくてもよい。
【００１８】
＜装置全体構成＞
図１を用いて、本実施例におけるＡＯＳＬＯ装置１０１の概略構成について具体的に説明する。
【００１９】
図１において、ＡＯＳＬＯ装置１０１は、大まかには、主要な光学系を内蔵するヘッド部１０２、ヘッド部１０２を水平垂直方向に移動させるステージ部１０３、被検者の顔を乗せる顔受け部１０４、操作画面を表示する液晶モニター１０５、およびＡＯＳＬＯ装置１０１全体を制御する制御ＰＣ１０６からなる。
【００２０】
ヘッド部１０２は、ステージ部１０３上に設置され、ジョイスティック１０７を傾倒することによって水平方向に、回転させることによって垂直方向に移動できる。顔受け部１０４は、顎を乗せる顎受け部１０８と電動ステージによって顎受け部１０８を移動させる顎受け駆動部１０９からなる。これらにより、被検眼とヘッド部１０２の位置関係を調整することができる。
【００２１】
＜光学系の構成＞
図２を用いて、ヘッド部１０２に内蔵される光学系について説明する。
【００２２】
図２において、光源２０１−１から出射した光は、光カプラー２３１によって参照光２０５と測定光２０６−１とに分割される。測定光２０６−１（第一の測定光）は、シングルモードファイバー２３０−４、空間光変調器２５９、ＸＹスキャナ２１９−１、ダイクロイックミラー２７０−１等を介して観察対象である被検眼２０７に導かれる。
【００２３】
２５６は固視灯であり、固視灯２５６からの光束２５７は、被検眼２０７の固視あるいは回旋を促す役割を有する。
【００２４】
測定光２０６−１は、被検眼２０７によって反射あるいは散乱された戻り光２０８（第一の戻り光）となり、光路を逆行し、光カプラー２３１を介して、ディテクター２３８−１に入射される。ディテクター２３８−１（第一の撮像部）は、戻り光２０８をその光強度に応じた電圧に変換し、その信号を用いて、被検眼２０７の平面画像（第一の画像）が構成される。なお、本実施例では、光学系の全体を主にレンズを用いた屈折光学系を用いて構成しているが、レンズの代わりに球面ミラーを用いた反射光学系によっても構成することができる。
【００２５】
また、本実施例では、収差補正デバイスとして反射型の空間光変調器を用いたが、透過型の空間光変調器や、可変形状ミラーを用いても構成することができる。
【００２６】
＜ＡＯＳＬＯ部の光源＞
光源２０１−１について説明する。光源２０１−１は、代表的な低コヒーレント光源であるＳＬＤ（Ｓｕｐｅｒ  Ｌｕｍｉｎｅｓｃｅｎｔ  Ｄｉｏｄｅ）光源である。波長は８４０ｎｍでバンド幅は５０ｎｍである。ここでは、スペックルノイズの少ない平面画像を取得するために低コヒーレント光源を選択している。また、光源の種類は、ＳＬＤ光源を選択したが、低コヒーレント光が出射できればよくＡＳＥ（Ａｍｐｌｉｆｉｅｄ  Ｓｐｏｎｔａｎｅｏｕｓ  Ｅｍｉｓｓｉｏｎ）光源等も用いることができる。
【００２７】
また、眼を測定することを鑑みると、波長は近赤外光が適する。さらに、波長は得られる平面画像の横方向の分解能に影響するため、なるべく短波長であることが望ましく、ここでは８４０ｎｍとする。観察対象の測定部位によっては他の波長を選んでも良い。
【００２８】
光源２０１−１から出射された光は、シングルモードファイバー２３０−１と光カプラー２３１とを介して、参照光２０５と測定光２０６−１とに９０：１０の割合で分割される。２５３−２、２５３−４は偏光コントローラであり、それぞれ参照光２０５と測定光２０６−１の偏光を制御する。
【００２９】
＜ＡＯＳＬＯ部の参照光路＞
参照光２０５の光路について説明する。
【００３０】
光カプラー２３１によって分割された参照光２０５は、光ファイバー２３０−２を介して、光量測定装置２６４に入射される。光量測定装置２６４は参照光２０５の光量を測定することにより、測定光２０６−１の光量をモニターする用途に用いられる。
【００３１】
＜ＡＯＳＬＯ部の測定光路＞
測定光２０６−１の光路について説明する。
【００３２】
光カプラー２３１によって分割された測定光２０６−１（第一の測定光）は、シングルモードファイバー２３０−４を介してレンズ２３５−１に導かれ、ビーム径４ｍｍの平行光になるように調整されている。
【００３３】
測定光２０６−１は、ビームスプリッタ２５８−１を通過し、レンズ２３５−５〜６を通過し、空間光変調器２５９に入射される。
【００３４】
ここで、空間光変調器２５９は、制御ＰＣ１０６からドライバ部２８１内の空間光変調器駆動ドライバ２８８を介して制御される。
【００３５】
次に、測定光２０６−１は、空間光変調器２５９にて変調され、レンズ２３５−７〜８を通過し、ＸＹスキャナ２１９−１に入射される。ここでは、簡単のため、ＸＹスキャナ２１９−１は一つのミラーとして記したが、実際にはＸスキャナとＹスキャナの２枚のミラーが近接して配置され、網膜２２７上を光軸に垂直な方向にラスタースキャンするものである。また、測定光２０６−１の中心は、ＸＹスキャナ２１９−１のミラーの回転中心と一致するように調整されている。
【００３６】
ここで、Ｘスキャナは測定光２０６−１を紙面に平行な方向に走査するスキャナであり、ここでは共振型スキャナを用いている。駆動周波数は約７．９ｋＨｚである。またＹスキャナは、測定光２０６−１を紙面に垂直な方向に走査するスキャナであり、ここではガルバノスキャナを用いている。駆動波形はのこぎり波であり、周波数は３２Ｈｚ、デューティ比は１６％である。Ｙスキャナの駆動周波数は、ＡＯＳＬＯ像の撮像時のフレームレートを決定する重要なパラメータである。
【００３７】
ここで、ＸＹスキャナ２１９−１は、制御ＰＣ１０６からドライバ部２８１内の光スキャナ駆動ドライバ２８２を介して制御される。
【００３８】
レンズ２３５−９〜１０は、網膜２２７を走査するための光学系であり、測定光２０６−１を被検眼２０７の瞳孔中心を支点として、網膜２２７をスキャンする役割がある。
【００３９】
ここで、測定光２０６−１のビーム径は４ｍｍであるが、より高分解能な画像を取得するためにビーム径はより大径化してもよい。
【００４０】
また、２１７−１は電動ステージであり、矢印で図示している方向に移動することができ、付随するレンズ２３５−１０の位置を動かし、フォーカスを調整することができる。
【００４１】
ここで、電動ステージ２１７−１は、制御ＰＣ１０６からドライバ部２８１内の電動ステージ駆動ドライバ２８３を介して制御される。
【００４２】
レンズ２３５−１０の位置を調整することで、被検眼２０７の網膜２２７の所定の層に測定光２０６−１が合焦され、所定の層を観察することが可能になる。
【００４３】
また、被検眼２０７が屈折異常を有している場合にも対応できる。
【００４４】
測定光２０６−１は、被検眼２０７に入射すると、網膜２２７からの反射や散乱により、戻り光２０８（第一の戻り光）となり再び光カプラー２３１に導かれ、シングルモードファイバー２３０−３を介してディテクター２３８−１に到達する。ディテクター２３８−１（第一の撮像部）は、例えば高速・高感度な光センサであるＡＰＤ（Ａｖａｌａｎｃｈｅ  Ｐｈｏｔｏ  Ｄｉｏｄｅ）やＰＭＴ（Ｐｈｏｔｏｍｕｌｔｉｐｌｉｅｒ  Ｔｕｂｅ）が用いられる。ディテクター２３８−１（第一の撮像部）によって、ＡＯＳＬＯ像（第一の画像）が取得される。
【００４５】
＜ＷＦＳＬＯ部全体＞
ＷＦＳＬＯ部について説明する。
【００４６】
ＷＦＳＬＯ部は基本的にＡＯＳＬＯ部と同様の構成となっている。重複する部分ついては説明を省略する。
【００４７】
光源２０１−２から出射した光は、レンズ２３５−２、１１〜１４、ＸＹスキャナ２１９−２、ダイクロイックミラー２７０−１〜３等を介して観察対象である被検眼２０７に導かれる。光源２０１−２は、ＡＯＳＬＯ部と同様にＳＬＤ光源である。波長は９２０ｎｍでバンド幅は２０ｎｍである。
【００４８】
＜ＷＦＳＬＯ部の測定光路＞
測定光２０６−２の光路について説明する。
【００４９】
光源２０１−２から射出された測定光２０６−２は、レンズ２３５−２、１１〜１４、ＸＹスキャナ２１９−２、ダイクロイックミラー２７０−１等を介して観察対象である被検眼２０７に導かれる。
【００５０】
ここで、ＸＹスキャナ２１９−２の構成要素であるＸスキャナは、測定光２０６−２を紙面に平行な方向に走査するスキャナであり、ここでは共振型スキャナを用いている。駆動周波数は約３．９ｋＨｚである。また、Ｙスキャナは測定光２０６−２を紙面に垂直な方向に走査するスキャナであり、ここでは、ガルバノスキャナを用いている。駆動波形はのこぎり波であり、周波数は１５Ｈｚ、デューティ比は１６％である。Ｙスキャナの駆動周波数は、ＷＦＳＬＯ像の撮像時のフレームレートを決定する重要なパラメータである。
【００５１】
ここで、測定光２０６−２のビーム径は１ｍｍであるが、より高分解能な画像を取得するために、ビーム径はより大径化してもよい。
【００５２】
測定光２０６−２は、被検眼２０７に入射すると網膜２２７からの反射や散乱により戻り光２０８となりダイクロイックミラー２７０−１〜３、レンズ２３５−２〜４、１３〜１４、ＸＹスキャナ２１９−２、ビームスプリッタ２５８−２等を介してディテクター２３８−２に到達する。
【００５３】
＜ビーコン部の説明＞
被検眼２０７の収差を測定するためのビーコン部について説明する。
【００５４】
光源２０１−３から射出された測定光２０６−３は、レンズ２３５−１５〜１６、ダイクロイックミラー２７０−１〜２、４等を介して観察対象である被検眼２０７に導かれる。ここで、測定光２０６−３は、角膜２２６からの反射を避けるために、被検眼２０７の中心から偏心して入射される。戻り光２０８の一部は、ダイクロイックミラー２５８−１、ピンホール２９８を介して、波面センサ２５５に入射され、被検眼２０７で発生する戻り光２０８の収差が測定される。ここで、ピンホール２９８は、戻り光２０８以外の不要光を遮蔽する目的で設置されている。波面センサ２５５は、制御ＰＣ１０６に電気的に接続されている。波面センサ２５５は、シャックハルトマン方式の波面センサであり、測定レンジは−１０Ｄ〜＋５Ｄとなっている。得られた収差は、ツェルニケ多項式を用いて表現され、それは被検眼２０７の収差を示している。ツェルニケ多項式はチルト（傾き）の項、デフォーカスの項、アスティグマ（非点収差）の項、コマの項、トリフォイルの項等からなる。なお、光源２０１−３の中心波長は７６０ｎｍで波長幅は２０ｎｍである。
【００５５】
ここで、角膜２２６とＸＹスキャナ２１９−１と波面センサ２５５と空間光変調器２５９とは光学的に共役になるようレンズ２３５−５〜１０等が配置されている。そのため、波面センサ２５５は、被検眼２０７の収差を測定することが可能になっている。また、空間光変調器２５９は被検眼２０７の収差を補正することが可能になっている。
【００５６】
＜固視灯部＞
固視灯２５６は、発光型のディスプレイモジュールからなり表示面（□２７ｍｍ、１２８×１２８画素）をＸＹ平面に有する。ここでは、液晶、有機ＥＬ、ＬＥＤアレイ等を用いることができる。被検眼２０７が、固視灯２５６からの光束２５７を注視することで、被検眼２０７の固視あるいは回旋が促される。固視灯２５６の表示面には例えば図２（ｂ）に示すように、任意の点灯位置２６５に十字のパターンが点滅して表示される。
【００５７】
固視灯２５６からの光束２５７は、レンズ２３５−１７〜１８、ダイクロイックミラー２７０−１〜３を介して網膜２２７に導かれる。また、レンズ２３５−１７、１８は、固視灯２５６の表示面と網膜２２７とが光学的に共役になるよう配置される。また、固視灯２５６は、制御ＰＣ１０６からドライバ部２８１内の固視灯駆動ドライバ２８４を介して制御される。
【００５８】
＜前眼部観察部＞
前眼部観察部について説明する。
【００５９】
前眼部照明光源２０１−４から照射された光は、被検眼２０７を照らし、その反射光がダイクロイックミラー２７０−１〜２、４、レンズ２３５−１９〜２０を介してＣＣＤカメラ２６０に入射する。光源２０１−４は中心波長７４０ｎｍのＬＥＤである。
【００６０】
＜フォーカス、シャッター、乱視補正＞
以上のように、ヘッド部１０２に内蔵される光学系は、ＡＯＳＬＯ部、ＷＦＳＬＯ部、ビーコン部、固視灯部、前眼部観察部からなる。この中でＡＯＳＬＯ部、ＷＦＳＬＯ部、ビーコン部、固視灯部はそれぞれ個別に電動ステージ２１７−１〜４を持ち、４つの電動ステージを連動させて動かしている。ただし、個別にフォーカス位置を調整したい場合には、個別に電動ステージを動かすことで調整可能である。
【００６１】
また、ＡＯＳＬＯ部、ＷＦＳＬＯ部、ビーコン部はそれぞれシャッター（不図示）を備え、シャッターの開閉により個別に被検眼２０７にそれぞれの光源からの光束を入射させるか否かを制御できる。ここではシャッターを用いたが、光源２０１−１〜３を直接ＯＮ／ＯＦＦすることにより、制御することもできる。同様に、前眼部観察部、固視灯部についても、光源２０１−４および固視灯２５６のＯＮ／ＯＦＦにより制御可能である。
【００６２】
また、レンズ２３５−１０は交換可能となっており、被検眼２０７による収差（屈折異常）に合わせて球面レンズやシリンドリカルレンズを用いることができる。また１個のレンズに限らず、複数のレンズを組み合わせて設置することも可能である。
【００６３】
＜波長＞
ＡＯＳＬＯ部、ＷＦＳＬＯ部、ビーコン部、固視灯部、前眼部観察部に用いられている光源の波長分布を図３に示す。それぞれの光をダイクロイックミラー２７０−１〜４で分けるために、それぞれ異なる波長帯になるようにしている。なお、図３は各光源の波長の違いを示すものであり、その強度およびスペクトル形状を規定するものではない。
【００６４】
＜画像化＞
撮像画像の形成方法について説明する。
【００６５】
ディテクター２３８−１において、入射された光は、その光の強度に応じた電圧に変換される。ディテクター２３８−１で得られた電圧信号は、制御ＰＣ１０６内のＡＤボード２７６−１にてデジタル値に変換され、制御ＰＣ１０６にて、ＸＹスキャナ２１９−１の動作や駆動周波数と同期したデータ処理が行われ、ＡＯＳＬＯ像が形成される。ここで、ＡＤボード２７６−１の取り込み速度は１５ＭＨｚである。同様に、ディテクター２３８−２で得られた電圧信号は、制御ＰＣ１０６内のＡＤボード２７６−２にてデジタル値に変換され、ＷＦＳＬＯ像が形成される。
【００６６】
＜撮像手順＞
ＡＯＳＬＯ装置における撮像手順について、図４〜６を用いて説明する。
【００６７】
図４に撮像手順を示す。以下に、各工程について詳しく述べる。
【００６８】
（工程１）装置を立ち上げ各種確認を行う
操作者が制御ＰＣ１０６及びＡＯＳＬＯ装置１０１の電源を入れと、測定用の制御ソフトが起動され、図５に示す制御ソフト画面が液晶モニター１０５の表示画面に表示される。ここで被検者に顔を顔受け部１０４にセットしてもらう。なお、図６は、図５に示した制御ソフト画面の一部を拡大したものである。
【００６９】
（工程２）前眼部画像を取得する
操作者により制御ソフト画面の実行ボタン５０１が押されると、前眼部モニター５２０に前眼部の画像が表示される。前眼部モニター５２０の中央に瞳孔の中心が正しく表示されていない場合は、操作者が傾倒したジョイスティック１０７の向きと角度に応じてヘッド部１０２を指示された位置に動かす。さらに調整が必要と操作者が判断した場合は、制御画面上の電動ステージボタン５１６を押し、それに基づいて顎受け駆動部１０９を微動させる。
【００７０】
（工程３）ＷＦＳＬＯ像を取得する
略正しい状態で前眼部画像が表示された場合、操作者がＷＦＳＬＯボタン５０３を押すことによりＷＦＳＬＯ像が撮像され、予め定められた色の枠を持ったＷＦＳＬＯモニター５２２に表示される。さらに、表示されたＷＦＳＬＯ像に、固視灯位置を選択するための指標であるグリッド６０１が重畳表示される。このグリッド６０１は、本実施例においてはＸ方向に７本、Ｙ方向に７本の線が眼底上で１ｍｍ間隔となるように重畳表示され、初期点灯位置として固視灯の中央位置（グリッドの中央位置に対応する）が設定されており、被検眼２０７の視線を中央に誘導する。なお、グリッドボタン５２６を操作者が操作することによりグリッド６０１の重畳表示と非表示を切り替えることができる。
【００７１】
ここで、グリッド６０１は、操作者が交点をマウス等を用いてクリックして、被検眼２０７の網膜に対応する位置を指定する形態となっている。グリッド６０１の中心が眼底の中心窩に対応している。さらに、固視座標位置指示部５２７、５２８でｘ軸とｙ軸の値を選択することで固視位置（固視灯の点灯位置）を選択しても良い。この場合、選択できる位置は固視間隔設定部５２９で設定した間隔で規定される値であるが、後述する画像サイズにより、撮像された隣り合うＡＯＳＬＯ像に隙間ができないように、その間隔は規定される。また、グリッド６０１は、その単位を長さ（ｍｍ）としているが、長さと角度（ｄｅｇ．）とのいずれかを選択する構成としてもよい。
【００７２】
次に、操作者はＷＦＳＬＯモニター５２２を見ながら、フォーカス調整スライダー５２３を調整して、又は、視度指定部５３０への視度値の入力により、ＷＦＳＬＯ像のフォーカスを調整する。ここで、横軸時間、縦軸信号強度でＷＦＳＬＯ部で検出された信号強度を、ＷＦＳＬＯ強度モニター５０６に時系列に表示し、ファーカス調整をサポートする。フォーカス調整ボタン５０４を調整することで、レンズ２３５−１０、１４、１６、１８の位置が同時に調整される。
【００７３】
操作者はＷＦＳＬＯ像が鮮明に表示された場合、ＷＦＳＬＯ記録ボタン５０７を押すことにより、制御ＰＣ１０６はＷＦＳＬＯデータを制御ＰＣ１０６内の保存部へ保存する。
【００７４】
ここで、カラーの眼底画像が他のモダリティで撮像され、制御ＰＣ１０６内の保存部に保存されている場合は、カラー眼底画像モニター５２１にカラー眼底画像が表示される。カラー眼底画像とＷＦＳＬＯ画像の位置合わせが既知の手法で実行され、カラー眼底画像上にＷＦＳＬＯ画像の位置を示す枠６０４が、ＷＦＳＯモニター５２２の枠の色と同じ色で重畳表示される。これにより、ＡＯＳＬＯ画像の撮像位置を指示する際のサポートとすることができる。
【００７５】
（工程４）ＡＯＳＬＯ像取得位置を決定する
操作者は表示されたＷＦＳＬＯ像を確認し、ＡＯＳＬＯ像を取得したい位置を後述の手法を用いて決める。それにより、その位置でＡＯＳＬＯ像が撮像できるように被検眼２０７の視線を誘導する。
【００７６】
ＡＯＳＬＯ像を取得する位置を決める手法は２通りあり、ＷＦＳＬＯモニター５２２に表示されたグリッド６０１においてグリッド６０１の交点の位置を指示する方法、もう一つは固視座標位置指示部５２７、５２８において所望の座標値を入力する方法である。ＷＦＳＬＯモニター５２２上の画素と固視灯の位置を関連付けており、固視灯の点灯位置が自動的に移動し、視線を所望の位置に誘導することができる。また、固視座標位置指示部５２７、５２８で指示された固視灯の座標位置に基づいて、グリッド６０１上に重畳表示された固視灯の点灯位置を示す固視マーク６０２の位置が更新される。また、後述する画像サイズに対応した枠６０３が、ＡＯＳＬＯモニター５２４の枠と同じ色で重畳表示される。ＡＯＳＬＯ像を取得したい位置がグリッド６０１上で移動させて、次の工程に移る。
【００７７】
（工程５）収差補正を行う
操作者により収差測定ボタン５０４が押されると、ＷＦＳＬＯ測定光である測定光２０６−２が遮断され、ビーコン光のシャッターが開いてビーコン光である測定光２０６−３が被検眼２０７に照射される。波面センサモニター５１１に波面センサ２５５で検出されたハルトマン像が表示される。このハルトマン像から計算された収差が収差補正モニター５１３に表示される。収差はデフォーカス（ｄｅｆｏｃｕｓ）成分（μｍ単位）と、全ての収差量（μｍＲＭＳ単位）に分けて表示される。ここで、工程３において、ＡＯＳＬＯ測定光とビーコン光のフォーカスレンズであるレンズ２３５−１０、１６の位置が調整されているため、この工程での収差測定が可能な状態になっている。
【００７８】
ここで、操作者により自動フォーカスボタン５１５が押されると、デフォーカスの値が小さくなるようにレンズ２３５−１０、１４、１６、１８の位置が自動的に調整される。
【００７９】
操作者により収差補正ボタン５１４が押されると、収差量が小さくなるように空間光変調器２５９が調整され、リアルタイムに収差量の値が表示される。ここで、収差量の値が予め設定された閾値（０．０３μｍＲＭＳ）以下になると、次の工程に移動する。ここで、収差量の閾値は任意に設定できる。また、閾値以下にならない場合には、操作者が収差補正一時停止ボタン５１２を押し、収差補正を停止したのち、ＡＯＳＬＯ測定ボタン５１５を押すことにより次の工程に移動させることができる。
【００８０】
（工程６）ＡＯＳＬＯ像を取得する
操作者によりＡＯＳＬＯ測定ボタン５０５が押されると、ビーコン光である測定光２０６−３が遮断され、ＡＯＳＬＯ測定光のシャッターが開いてＡＯＳＬＯ測定光である測定光２０６−１が被検眼２０７に照射される。予め定められた色（ＷＦＳＬＯモニター５２２の枠の色とは異なる）の枠を持ったＡＯＳＬＯモニター５２４に収差補正済みのＡＯＳＬＯ像が表示される。また、ＡＯＳＬＯ強度モニター５０８に、ＷＦＳＬＯ強度モニター５０６と同様に、ＡＯＳＬＯ部で検出された信号強度が時系列に表示される。
【００８１】
操作者は、信号強度が不十分な場合には、ＡＯＳＬＯ強度モニター５０８を見ながらフォーカス、顎受け位置を調整し、信号強度が大きくなるように調整を指示する。
【００８２】
また、撮像条件設定ボタン５３１〜５３３によって、深さ位置情報、撮像時間、画像サイズ等を指定することができる。
【００８３】
ここで画像サイズについて説明する。ＷＦＳＬＯ像は例えば画像サイズが８ｍｍｘ６ｍｍ、ピクセルサイズは５３３×４００である。網膜の広い範囲を撮像することで網膜の全体イメージを取得する。
【００８４】
ＡＯＳＬＯ像は、撮像領域のサイズが１．７ｍｍ×１．７ｍｍ、０．８２ｍｍ×０．８２ｍｍ、０．３４ｍｍ×０．３４ｍｍ、ピクセルサイズはすべて共通で４００×４００の、３種類の解像度を選択することが可能である。撮像領域が１．７ｍｍ×１．７ｍｍであるＡＯＳＬＯ像をＬ像、０．８２ｍｍ×０．８２ｍｍであるＡＯＳＬＯ像をＭ像、０．３４ｍｍ×０．３４ｍｍであるＡＯＳＬＯ像をＳ像という。なお、画像サイズの変更は、ＸＹスキャナ２１９−１の駆動条件の一部を変更（例えばＸスキャナの駆動電圧の変更等）で行う。これら撮像領域のサイズおよびピクセルサイズは例示であり、これらの値に限定されるものではない。すなわち、他の値としてもよい。ＡＯＳＬＯ像の撮像時間、フレームレート等は変更することが可能であるが、ここでは、一例としてＡＯＳＬＯ像のＭ像が、撮像時間が１秒で、３２枚の画像より構成されることが示されている。
【００８５】
ここで、操作者は深さ位置調整スライダー５２５を調整することにより、レンズ２３５−１０を移動させ、被検眼２０７の深さ方向の撮像範囲を調整することができる。具体的には、視細胞層や神経線維層や色素上皮層等の所望の層の像を取得することができる。
【００８６】
また、撮像位置が所望の位置と異なる場合には、グリッド６０１又は固視座標位置指示部５２７、５２８を用いて、撮像位置を調整することができる。
【００８７】
ＡＯＳＬＯモニター５２４にＡＯＳＬＯ像が鮮明に表示された場合、操作者はＡＯＳＬＯ記録ボタン５０９を押してＡＯＳＬＯデータの保存を指示し、制御ＰＣ１０６はデータを保存する。その後、測定光２０６−１は遮断される。
【００８８】
（工程７）次の動作を選択する
撮像位置の変更を行う場合には工程４に、左右眼の切り替えを行う場合には工程２に戻る。撮像を終了する場合には、次の工程に移動する。
【００８９】
（工程８）終了する
操作者がＳＴＯＰボタン５０２を押すと、処理が終了する。
【００９０】
＜画像の確認＞
次に、本実施例のＡＯＳＬＯ装置において撮像したデータを画像化して確認する方法について説明する。
【００９１】
撮像した画像データを可視化するビューワーソフトを起動すると、ビューワーソフト画面（インターフェース画面）が液晶モニター１０５の表示画面に表示される。
【００９２】
保存されたＷＦＳＬＯデータ、もしくはＡＯＳＬＯデータを読み込んで画像化することができる。
【００９３】
測定時間によって撮像枚数が変わるが、時間順に画像番号が付けられる。操作者によって指定された画像番号の画像が画像表示部に表示される。画質調整部には、画像の明るさ、コントラスト、ガンマの調整を行うためのつまみがあり、左右にスライドさせることで画質を調整することができる。
【００９４】
また、撮像時に指定した固視灯の点灯位置が、固視灯ビューワーに表示される。座標は、グリッドとして表示される。ここでも、位置の座標の単位を角度（ｄｅｇ．）と長さ（ｍｍ）とをタブ切替えによって選択することができる。角度と長さを切り替えることで、視野計や眼底カメラ等の他の検査機器と結果の比較がしやすくすることができる。
【００９５】
以上説明の様に、ＷＦＳＬＯ像上に固視灯の点灯位置を指定するためのグリッドを重畳表示することにより、ＡＯＳＬＯ像の撮像位置を容易に指定できる。また、点灯位置の指定する間隔を、ＡＯＳＬＯ像の画像サイズに応じて規定することにより、操作者はＡＯＳＬＯ像の画像サイズを考慮することなく連続する領域の画像位置を指定できる。
【符号の説明】
【００９６】
１０１  ＡＯＳＬＯ装置
１０２  ヘッド部
１０３  ステージ部
１０４  顔受け部
１０５  液晶モニター
１０６  制御ＰＣ
【図１】
2017051376.tif 000003
【図２】
2017051376.tif 000004
【図３】
2017051376.tif 000005
【図４】
2017051376.tif 000006
【図５】
2017051376.tif 000007
【図６】
2017051376.tif 000008